(57)【要約】【課題】本発明は網目組織を備えたリボンに関し、衣服、例えばジャケツト、スーツの袖口、ポケット、衿や裾回りの縁飾りのほか、靴等の履物、バッグ、袋物、傘等の身回り品、カーテン等のインテリア用品、シートカバー等のカー用品等の各種物品の縁飾りとして、さらには、テント等のアウトドア用品に小物を吊下げる吊下部として最適に使用し、構造堅牢でありながら柔軟性に富み、強度が高く、耐摩耗性も優れたものである。【解決手段】所望太さの合成繊維のフィラメントを所望本数撚り合わせた撚糸３′により編成される地組織部１と、該地組織部１よりも太い合成繊維のフィラメントを所望複数本撚り合わした撚糸３により前記地組織部１の少なくとも一縁部２に分岐して編成される網目部４とを有するリボンであって、前記網目部４が、網目構成用増目部５、および該網目構成用増目部５から分岐する網目構成用架橋部６により編成される。【選択図】図１
2006009190.tif 000002
【特許請求の範囲】
【請求項１】
所望太さの合成繊維のフィラメントを所望複数本撚り合わした撚糸により編成される地組織部と、該地組織部の合成繊維のフィラメントよりも太い合成繊維のフィラメントを所望複数本撚り合わした撚糸により前記地組織部の少なくとも一縁部に分岐して編成される網目部とを有するリボンであって、前記網目部が、網目構成用増目部、および該網目構成用増目部から分岐する網目構成用架橋部により編成されることを特徴とした網目組織を備えたリボン。
【請求項２】
前記地組織部と、前記網目部とが、ラッセル編機により縦編みされることを特徴とした請求項１に記載の網目組織を備えたリボン。
【請求項３】
前記網目部が、高さ、および横の長さを、それぞれ数ｍｍ〜約３ｃｍの大きさの網目に形成されることを特徴とした請求項１,２に記載の編目組織を備えたリボン。
【請求項４】
前記網目部が、物品吊り下げ用の吊りリボンとして形成されることを特徴とした請求項１,２,３に記載の網目組織を備えたリボン。
【発明の詳細な説明】
【技術分野】
【０００１】
本発明は網目組織を備えたリボンに関し、衣服、例えばジャケツト、スーツの袖口、ポケット、衿、打ち合わせ部やパンツ、スカートの裾回りの縁飾りのほか、靴、ブーツ等の履物、また、バッグ、袋物、ベルト、傘等の身回り品、また、カーテン、クッション、ランプシェイド等のインテリア用品、さらにはフロントカバー、シートカバー等のカー用品等の各種物品の縁飾りとして、さらには、テントやターフ等のアウトドア用品に小物を吊下げるための吊下部として最適に使用し、構造堅牢でありながら柔軟性に富み、しかも、強度が高く、耐摩耗性も優れたものである。
【背景技術】
【０００２】
従来、例えばジャケツト、スーツ等の衣服の袖口、衿回り、裾等の縁飾りとしてレース組織の布帛をミシンにて衣服の組織布に縫着することにより取付けるようにしたレース飾りがあった（例えば特許文献１参照）。
【特許文献１】実用新案登録第３０５２４９０号公報
【発明の開示】
【発明が解決しようとする課題】
【０００３】
しかしながら、特許文献１に記載の上記従来のレース組織の縁飾りは、装飾性を発揮するが、衣服の組織布に取付後の強度に欠け、構造的に脆弱であったり、レース組織の構成糸が疲労により切断されてレース組織が破壊され、外観的な見苦しさを招き、装飾性が損なわれることもあった。また、経時の着用や洗濯回数を重ねた場合に、皺になったり、捻れが発生したりして形崩れが激しく、図柄も変形することがあった。
【０００４】
本発明は上記従来の欠点を解決し、構造堅牢でありながら柔軟性に富み、しかも、取付後の強度が高く、耐摩耗性も優れ、経時の着用や洗濯回数を重ねた場合の形崩れや図柄の変形も生ぜず、保形性が優れ、さらには、構造簡単で製作も容易であり、製作コストが安価な網目組織を備えたリボンを提供することを目的とする。
【課題を解決するための手段】
【０００５】
本発明は上記課題に鑑みなされたものであり、請求項１に記載の発明は、所望太さの合成繊維のフィラメントを所望本数撚り合わせた撚糸により編成される地組織部と、該地組織部の合成繊維のフィラメントよりも太い合成繊維のフィラメントを所望複数本撚り合わした撚糸により前記地組織部の少なくとも一縁部に分岐して編成される網目部を有するリボンであって、前記網目部が、網目構成用増目部、および該網目構成用増目部から分岐する網目構成用架橋部により編成されることを特徴とした。
【０００６】
また、本発明の請求項２の発明は、請求項１において、前記地組織部と、前記網目部とが、ラッセル編機により縦編みされることを特徴とした。
【０００７】
また、本発明の請求項３に記載の発明は、請求項１,２において、前記網目部が、高さ、および横の長さを、それぞれ数ｍｍ〜約３ｃｍの大きさの網目に形成されることを特徴とした。
【０００８】
また、本発明の請求項４に記載の発明は、請求項１,２,３において、前記網目部が、物品吊り下げ用の吊りリボンとして形成されることを特徴とした。
【発明の効果】
【０００９】
本発明の網目組織を備えたリボンは、構造堅牢でありながら柔軟性に富み、しかも、取付後の強度が高く、耐摩耗性に優れ、経時の着用や洗濯回数を重ねた場合の形崩れも生ぜず、保形性が優れ、さらには、構造簡単で製作も容易であり、製作コストも安価になる。
【発明を実施するための最良の形態】
【００１０】
以下図面に従い、本発明を実施するための最良の形態につき詳細を説明する。
【００１１】
図１は本発明の網目組織を備えたリボンの実施形態１を示す平面図、図２は同じく組織図、図３は同じく繊維組織を示す写真である。
【００１２】
本実施形態１の発明は、所望太さの合成繊維のフィラメントを所望本数撚り合わせた撚糸３′により編成される地組織部１と、該地組織部１の合成繊維のフィラメントよりも太い合成繊維のフィラメントを所望複数本撚り合わした撚糸３により前記地組織部１の少なくとも一縁部２に分岐して編成される網目部４とを有するリボンであって、前記網目部４が、網目構成用増目部５、および該網目構成用増目部５から分岐する網目構成用架橋部６により編成されることを特徴とした。
【００１３】
前記地組織部１と、前記網目部４とが、本実施形態１では、ラッシェル編機を用いて２４ゲージで、４枚箴にて縦編みされる。
【００１４】
また、前記地組織部１を編成するのには、例えば所望太さの合成繊維のフィラメントを所望本数撚り合わせた撚糸３′により編成される。また、必要な場合には、合成繊維の前記フィラメントに、半合成繊維、または、天然繊維糸の何れかを混紡して編成される。前記合成繊維としては、例えばポリアミド、ポリエステル、アクリル、ポリウレタン、エチレン、ポリプロピレン等があげられる。また、天然繊維としては、例えば絹、麻、木綿、羊毛等が挙げられる。半合成繊維とは、天然繊維糸と合成繊維との混紡糸が使用される。
【００１５】
また、地組織部１は、縦編みするのであれば、メリヤス編み、ゴム編み等の任意な編成方法でよい。また、染色は多種の色調のものが使用され、必要ならば適宜図柄を編み込むようにしてもよい。
【００１６】
また、前記網目部４を編成するのには、例えば合成繊維、例えば本実施形態１の網目組織を備えたリボンでは図２に示す組織図の左欄に表示する第１の箴Ｌ１には、地組織部１の前記撚糸３′よりも太い９０デニールのポリアミド・モノフィラメントを５本撚り合わせた撚糸３Ａが使用される。また、第２の箴Ｌ２には、同じく９０デニールのポリアミド・モノフィラメントを５本撚り合わせた撚糸３Ａが使用される。また、第３の箴Ｌ３には、太さ７０デニール／２のポリアミド繊維よりなる１１本のウーリー糸と、太さ９０デニールのポリアミド・モノフィラメントを４本とを撚合わした撚糸３Ｂが使用される。また、第４の箴Ｌ４には、太さ７０デニール／２のポリアミド繊維のウーリー糸を９本と、太さ９０デニールのポリアミド・モノフィラメントを２本とを撚合わした撚糸３Ｃがそれぞれ使用されることにより細かな組織にて編成される地組織部１の縁部２に、網目構成用増目部５、および該網目構成用増目部５から分岐する網目構成用架橋部６よりなり、該地組織部１よりも目の粗い前記網目を形成するようになる。
【００１７】
なお、本明細書において、網目構成用増目部５とは、図１において連続して編まれる編目組織の長さ方向Ｘに配置される頂部をいう。また、本明細書において、網目構成用架橋部６とは、図１において連続して編まれる編目組織の前記網目構成用架橋部６から分岐して地組織部１の縁部２に編み込まれる長さ方向Ｘに交叉する部分をいう。
【００１８】
すなわち、図２に示す組織図において、第１の箴Ｌ１および第２の箴Ｌ２では、撚糸３Ａが１２番目の鎖と１４番目の鎖とに編み込まれることにより、網目６の網目構成用増目部５の骨格と網目構成用架橋部６として編成される。また、第４の箴Ｌ４では撚糸３Ｃが第３番目の鎖と第１２番目の鎖との間に連続的に編み込まれることにより前記網目構成用増目部５の外面補強糸として編成される。また、第３の箴Ｌ３では撚糸３Ｂにより網目を地組織部１の縁部２に長さ方向Ｘに沿って１番目から１２番目の間にて連続して編み込まれるのと、１３番目の鎖を残して網目構成用架橋部６,６・・・が位置する１２番と１４番との鎖に編込まれ、取付部となり、前記網目部４は形成される。
【００１９】
こうして、地組織部１の縁部２に編込むまれた前記網目部４が、高さｈおよび横の長さｌを、数ｍｍ〜約３ｃｍ、図示する本実施形態１では、高さｈを３ｍｍ、横の長さｌを２．５ｍｍ、の大きさに形成される。この際、高さｈおよび横の長さｌが２ｍｍ以下であると出来上がる網目部４が小さ過ぎることによって装飾性を充分に発揮するものとは言えず、また網目部４が脆弱な構造になり、保形性も充分なものとは言えないためである。
【００２０】
また、網目部４の高さｈおよび横の長さｌが３ｃｍ以上になる場合には、網目部４が大きくなり、視認性は充分になるとともに剛性が高くなって保形性は充分になるが、却って衣服等の縁飾りとして使用した場合にデザイン的に無骨なものとなり、着用時の柔軟度に欠け、肌触りが悪く、違和感を覚えるためである。
【００２１】
本発明の網目組織を備えたリボンの実施形態１は以上の構成からなり、所望太さの合成繊維のフィラメントを撚り合わせた撚糸３′により編成される地組織部１の一縁部２に、所望太さの合成繊維のフィラメント、例えば９０デニールのポリアミド・モノフィラメントを５本撚り合わせた撚糸３Ａにより網目構成用増目部５、および該網目構成用増目部５から分岐する網目構成用架橋部６よりなる前記地組織部１よりも目の粗い多数の網目の網目部４を長さ方向Ｘに編成されるので、地組織部１の縁部２に長さ方向Ｘに編成される網目部４は、例えばを所望複数本撚り合わした合成繊維のフィラメントよりなる撚糸３が可撓性と弾力的な復元力とを発揮することにより構造堅牢でありながら柔軟性に富むとともに保形性を発揮する。
【００２２】
従って、本実施形態１の編目組織を備えたリボンは、地組織部１を取付部として衣服、例えばジャケツト、スーツ、シャツ、ブラウスの袖口、ポケット、衿、打ち合わせ部やパンツ、スカートの裾回りの縁飾りのほか、靴、ブーツ等の履物、また、バッグ、袋物、ベルト、傘等の身回り品、また、カーテン、クッション、テーブルクロス、ランプシェイド等のインテリア用品、さらにはフロントカバー、シートカバー等のカー用品、トイレットペーパーカバー、ティツシュカバー等の日曜雑貨品等の各種物品にミシンにより縫着したり、接着剤を用いて接着することにより例えば、高さｈを３ｍｍ、横の長さｌを、２．５ｍｍ程度に形成する網目部４が発揮する装飾性により縁飾りとして使用することができる。
【００２３】
この際、高さｈが約３ｍｍ、横の長さｌが２．５ｍｍに形成されるので、デザイン性に優れ、装飾性を充分に発揮し、また保形性が充分になり衣服等の縁飾りとして使用した場合の着用時の柔軟度を充分に発揮し、肌触りが良く、違和感がなく、着用することができる。
【００２４】
また、本実施形態１の編目組織を備えたリボンは、地組織部１の縁部２に長さ方向Ｘに編成される網目部４は、前述のように合成繊維のフィラメントを所望複数本撚り合わした撚糸３により形成されるため、合成繊維のフィラメントが圧縮または引っ張り、捻れに対して可撓性と弾力的な復元力とを発揮することにより構造堅牢であり、取付後の強度が高く、耐摩耗性に優れる。
【００２５】
従って、特許文献１に記載のレース組織の縁飾りのように、経時の着用や洗濯回数を重ねた場合に、構成糸が疲労により切断されてレース組織が破壊されて外観的な見苦しさを招き、装飾性が損なわれたり、皺や捻れが発生したりして形崩れするのとは異なり、優れた保形性を発揮する。
【００２６】
また、本実施形態１の網目組織を備えたリボンは、前述のように衣服、インテリア洋品、日曜雑貨品等の各種物品の縁飾りとして使用する場合に限らず、例えば撚糸３に用いる合成繊維の太さと、設置個数を増加するとともに網目部４の網目の大きさを高さｈおよび横の長さｌを約３ｃｍに大きく編成することによりアウトドア用品としてテントやターフ等に地組織部１を取付けた場合に、地組織部１の縁部２に長手方向Ｘに編成した網目部４が、アウトドア用品の小物等の物品を吊り下げるための吊り下げ用の吊りリボンとして使用することができる。
【００２７】
この際、網目部４を形成するポリアミド・モノフィラメント等の撚糸を複数本撚り合わせた撚糸３Ａによる保形性により網目部４は小物の荷重に耐えて確実に吊り下げることができる。
【００２８】
なお、図示する上記実施形態１では、地組織部１の一縁部２に網目部４を形成しているが、これは代表的な例示であり、網目部４は地組織部１の左右の両縁２,２に編成しても良い。
【００２９】
また、本発明は、地組織部１の設置幅、網目の大きさ、設置間隔等の増減変更は自由である。
【産業上の利用可能性】
【００３０】
本発明は構造堅牢でありながら柔軟性に富み、しかも、取付後の強度が高く、耐摩耗性も優れ、経時の着用や洗濯回数を重ねた場合の形崩れも生ぜず、保形性が優れ、さらには、構造簡単で製作も容易であり、製作コストも安価になるという分野・用途に適する。
【図面の簡単な説明】
【００３１】
【図１】図１は本発明の網目組織を備えたリボンの実施形態１を示す平面図である。
【図２】図２は同じく組織図である。
【図３】図３は同じく繊維組織を示す写真である。
【符号の説明】
【００３２】
１      地組織部
２      縁部
３      撚糸
３′    撚糸
４      網目部
５      網目構成用増目部
６      網目構成用架橋部
Ｘ      長さ方向
【図１】
2006009190.tif 000003
【図２】
2006009190.tif 000004
【図３】
2006009190.tif 000005